(57)【特許請求の範囲】
【請求項１】
建物を構成する壁に明けられた凹部に配設される配線ボックスであって、
配線器具が収容されるボックス本体と、
前記ボックス本体の側壁部分に、前記壁の前方側に向けて延設されて、弾性により前記側壁の内外方向に変形することが可能となるよう形成された係合片と、
前記係合片と相対向する内側位置に位置して、ビスが前記壁の前方側から螺入されるビス螺入部と、を備え、
前記係合片は、その有する弾性によって、前記凹部の内側面に係合して仮止めされ、前記ビス螺入部に螺入された前記ビスに直接押圧されて拡開変形することで、前記凹部の内側面に係合して、その内側面に本止めされることを特徴とする、配線ボックス。
【請求項２】
前記ビス螺入部は、そのビス螺入部に螺入された前記ビスの軸部が前記係合片側に露出するような、断面が半円を越える円弧形状となる溝となっていることを特徴とする請求項１に記載の、配線ボックス。
【請求項３】
前記ビス螺入部は、そのビス螺入部に螺入された前記ビスの頭部が前記ボックス本体の前面よりも前記壁の前方側に突出しないように、前記ボックス本体の前面から後方に下がって設けられていることを特徴とする請求項１または２に記載の、配線ボックス。
【請求項４】
前記凹部は、正面視が二以上の円が一部重合する重合形状となるように明けられており、
前記ボックス本体は、前記凹部と嵌合するように、前記重合形状と略同一の形状もしくは近似した形状を有していることを特徴とする請求項１ないし３のいずれか１項に記載の、配線ボックス。
【請求項５】
前記重合形状は、方形形状に内接するような形状となっており、
前記係合片は、前記方形形状の四隅と対応する位置に、それぞれ設けられていることを特徴とする請求項４に記載の、配線ボックス。
【発明の詳細な説明】
【０００１】
【発明の属する技術分野】
この発明は、建物の壁に明けられた凹部に配設される配線ボックスに関するものである。
【０００２】
【従来の技術および、発明が解決しようとする課題】
従来、配線ボックスは、建物の壁、例えばＡＬＣ（軽量気泡コンクリート）壁に明けられた凹部に配設されていた。そして、この配線ボックスを前記凹部に固定するにあたっては、ビスを用いて、配線ボックスの底壁を凹部の底面に止めていた。
【０００３】
しかし、ＡＬＣ壁が薄い場合には、ビスがＡＬＣ壁の裏側に抜けてしまう虞があった。また、凹部を、所定の深さに保ったり、凹部底面を平らにする必要があったりし、この凹部を明ける作業には、細心の注意を払わなければならなかった。さらに、このＡＬＣ壁にねじ込まれるビスは、非常に高価である等、その改善が望まれていた。
【０００４】
この発明は、上記した従来の欠点を解決するためになされたものであり、その目的とするところは、建物の壁に明けられた凹部内に、その凹部の底面形状に拘ることなく固定することができ、かつ、簡単な構造で固定することができる、配線ボックスを提供することにある。
【０００５】
【課題を解決するための手段】
この発明に係る配線ボックスは、前記目的を達成するために、次の構成からなる。すなわち、
請求項１に記載の発明に係る配線ボックスは、建物を構成する壁に明けられた凹部に配設される配線ボックスであって、配線器具が収容されるボックス本体と、係合片と、ビス螺入部とを備える。そして、前記係合片は、前記ボックス本体の側壁部分に、前記壁の前方側に向けて延設されて、弾性により前記側壁の内外方向に変形することが可能となるよう形成されている。また、前記ビス螺入部は、前記係合片と相対向する内側位置に位置しており、このビス螺入部には、ビスが前記壁の前方側から螺入される。ここで、前記係合片は、その有する弾性によって、前記凹部の内側面に係合して仮止めされ、前記ビス螺入部に螺入された前記ビスに直接押圧されて拡開変形することで、前記凹部の内側面に係合して、その内側面に本止めされる。
【０００６】
これにより、この配線ボックスは、建物の壁に明けられた凹部の内側面に係合して止められる係合片を備えており、この係合片によって、配線ボックスは、凹部内に固定される。このとき、係合片は、ビス螺入部に螺入されたビスに直接押圧されて拡開変形することで、凹部の内側面に係合しており、この係合構造が、単純化されており、しかも確実に係合する。その上、この配線ボックスを凹部内に固定する際には、この配線ボックスは、係合片が、その弾性によって凹部の内側面に係合して仮止めされることで、凹部内に保持されているので、ビス螺入部にビスを螺入して、係合片を拡開変形させて凹部の内側面に本止めする作業を、容易に行うことができる。
【０００７】
また、請求項２に記載の発明に係る配線ボックスのように、前記ビス螺入部は、そのビス螺入部に螺入された前記ビスの軸部が前記係合片側に露出するような、断面が半円を越える円弧形状となる溝となっていてもよい。こうして、ビス螺入部は、そのビス螺入部に螺入されたビスの軸部が、係合片側に露出することとなり、この軸部の露出部分が、係合片を押圧することとなる。また、ビス螺入部は、断面が半円を越える円弧形状となる溝となっており、この溝によって、ビスは、その露出側に抜け出ることなく、溝内に保持される。さらに、係合片と相対向する内側位置に位置するビス螺入部は、ビスの軸部が係合片側に露出する円弧形状となる溝となっている。したがって、ビスの軸部がボックス本体の内方側に露出することがない。
【０００８】
また、請求項３に記載の発明に係る配線ボックスのように、前記ビス螺入部は、そのビス螺入部に螺入された前記ビスの頭部が前記ボックス本体の前面よりも前記壁の前方側に突出しないように、前記ボックス本体の前面から後方に下がって設けられているのが望ましい。こうして、ビス螺入部が、ボックス本体の前面から後方に下がって設けられて、そのビス螺入部に螺入されたビスの頭部が、ボックス本体の前面よりも壁の前方側に突出しないので、この配線ボックスにカバーをする場合等に、ビスが邪魔になることがない。
【０００９】
また、請求項４に記載の発明に係る配線ボックスのように、前記凹部は、正面視が二以上の円が一部重合する重合形状となるように明けられており、前記ボックス本体は、前記凹部と嵌合するように、前記重合形状と略同一の形状もしくは近似した形状を有してもよい。こうして、この配線ボックスが配設される凹部は、正面視が二以上の円が一部重合する重合形状となっており、この凹部は、建物の壁に簡単に明けられる。しかも、配線ボックスは、そのボックス本体が、凹部と嵌合し、その嵌合形状によって、凹部内で回り止めされる。
また、請求項５に記載の発明に係る配線ボックスのように、前記重合形状は、方形形状に内接するような形状となっており、前記係合片は、前記方形形状の四隅と対応する位置に、それぞれ設けられてもよい。こうして、係合片は、重合形状が内接する方形形状の四隅と対応する位置に、それぞれ設けられており、これら係合片によって、配線ボックスは、凹部内にバランスよく固定される。
【００１０】
【発明の実施の形態】
以下、この発明に係る配線ボックスの実施の形態を図面に基づいて説明する。
【００１１】
図１ないし図６は、本発明に係る配線ボックスを、例えば、団子張り工法に適用した一実施の形態を示す。すなわち、建物を構成するコンクリート壁やＡＬＣ（軽量気泡コンクリート）壁等の壁１の前方に、１０〜１５ｍｍ程度の間隔を隔てて、団子張り工法により、石膏ボード等のボード（図示せず）が張られる。そして、壁１とボードとの間の隙間を通って、壁１に明けられた凹部２に配設される配線ボックス３まで、配線材（図示せず）が配線される。
【００１２】
ここで、凹部２は、壁１に、正面視が二以上の円、例えば二つの円２ａ、２ａが一部重合する重合形状となるように明けられており、その重合形状が方形形状Ｓに内接するような形状となっている。そして、この凹部２は、前記重合形状を構成する縦に並ぶ二つの円２ａ、２ａを順次形成するように、ホルソー等の穿孔器具を用いて明けられる。また、この凹部２には、前記重合形状における二つの円２ａ、２ａの交差する交差部分２ｂ、２ｂであって、壁１の前面１ａ部分に、後述する繋ぎ部４ｅ、４ｅとの干渉を防ぐための窪みあるいは切欠き２ｃ、２ｃが設けられている（図３参照）。そして、この窪みあるいは切欠き２ｃは、例えば、金槌等で叩き取られるようにして形成される。
【００１３】
配線ボックス３は、配線器具（図示せず）が収容されるボックス本体４と、係合片５、５と、ビス螺入部６、６とを備えている。ボックス本体４は、壁１に明けられた凹部２と嵌合するように、凹部２の前記重合形状と略同一の形状もしくは近似した形状を有している。具体的には、ボックス本体４は、壁１の前方側（すなわち、手前側）が開口する箱形形状であって、側壁４ａおよび底壁４ｂを備えている。そして、ボックス本体４は、凹部２における交差部分２ｂ、２ｂとの干渉を防ぐように、中央両側の、側壁４ａおよび底壁４ｂには、くびれ部４ｃ、４ｃとともに貫通孔４ｄ、４ｄが設けられている。そして、この貫通孔４ｄの、ボックス本体４の開口側の端部には、このボックス本体４が中央部分で折れ曲がるように撓むのを防止する撓み防止部としての繋ぎ部４ｅが、貫通孔４ｄによって分かれた側壁４ａを繋ぐようにして設けられている。
【００１４】
係合片５は、ボックス本体４の側壁４ａ部分に設けられて、前記凹部２の側面２ｄに係合して止められるものである。具体的には、係合片５は、凹部２における前記方形形状Ｓの四隅と対応する位置に、それぞれ設けられており、ボックス本体４の側壁４ａ部分に、先端ほど凹部２の側面２ｄ側へ張り出し気味で、壁１の前方側に向けて舌片状に延設されて、弾性により側壁４ａの内外方向に変形することが可能となるよう形成されている。そして、この係合片５は、後に詳述するビス螺入部６に螺入された、押圧体としてのビス７に直接押圧されて拡開変形（すなわち、側壁４ａの外側方向に変形）することで、前記凹部２の側面２ｄに係合して止められる。そして、これら係合片２ｄ、２ｄによって、配線ボックス３は、凹部２内に固定される。
【００１５】
ビス螺入部６は、前記係合片５と相対向する内側位置に位置しており、このビス螺入部６に、ビス７が、壁１の前方側から螺入される。また、ビス螺入部６は、そのビス螺入部６に螺入されたビス７の軸部７ａが係合片５側に露出するような、断面が半円を越える円弧形状となる溝となっている。そして、ビス螺入部６は、そのビス螺入部６に螺入されたビス７の頭部７ｂがボックス本体４の前面４ｆ（すなわち、側壁４ａの先端面）よりも壁１の前方側に突出しないように、ボックス本体４の前面４ｆから後方に下がって設けられている。
【００１６】
そして、配線ボックス３を壁１に固定するにあたっては、はじめに、図２および図４に示すように、配線ボックス３を凹部２に挿入する。このとき、係合片５、５は、凹部２の側面２ｄに押されて側壁４ａの内側方向に変形するとともに、その有する弾性によって側壁４ａの外側方向に戻ろうとして側面２ｄを押圧する。こうして、係合片５、５は、凹部２の側面２ｄに係合して仮止めされ、配線ボックス３は、凹部２内に保持される。その後、図５および図６に示すように、ビス７、７を、ビス螺入部６、６に螺入することで、係合片５、５が、ビス７、７に直接押圧されて拡開変形し、凹部２の側面２ｄに本止めされて、この配線ボックス３は、凹部２内に固定される。反対に、配線ボックス３を壁１から外す場合には、ビス７、７を緩めることで、係合片５、５による凹部２の側面２ｄへの押圧が、緩和あるいは解除されて、この配線ボックス３を凹部２から取り出すことができる。
【００１７】
また、配線ボックス３は、側壁４ａの内側に隣接する上下の各位置に、カバー等（図示せず）を取り付けるための取付部８、８を備えている。さらに、配線ボックス３は、ボックス本体４内において底壁４ｂから立設するようにして、マグネット（図示せず）を収容するためのマグネット収容部９を備えている。さらに、底壁４ｂには、取付孔１０、１０が設けられており、この取付孔１０、１０に挿通されるビス等の固着具を用いて、底壁４ｂを凹部２の底面２ｅに止めることで、配線ボックス３を凹部２内に固定することも可能となっている。
【００１８】
次に、以上の構成からなる配線ボックス３の作用効果について説明する。この配線ボックス３が配設される凹部２は、正面視が二つの円２ａ、２ａが一部重合する重合形状となっており、この凹部２を、例えばホルソー等の穿孔器具を用いて、建物の壁１に簡単に明けることができる。しかも、配線ボックス３は、ボックス本体４が、凹部２と嵌合し、その嵌合形状によって、凹部２内で回り止めされるので、この配線ボックス３は、凹部２内で回動することがない。また、こうして、配線ボックス３は、そのボックス本体４の形状によって凹部２内で回り止めされるので、この配線ボックス３を凹部２内に固定するための係合片５には、回り止めを考慮する必要がなく、この係合片５を簡易にすることができる。
【００１９】
また、建物の壁１に明けられた凹部２の側面２ｄに係合して止められる係合片５によって、配線ボックス３が凹部２内に固定されるので、この配線ボックス３を、凹部２内に、その凹部２の底面２ｅの形状に拘ることなく固定することができる。しかも、このように、配線ボックス３を凹部２の側面２ｄに固定することで、配線ボックス３を凹部２の底面２ｅに、ビスを用いて止める場合にみられるような、ビスが壁１の裏側に抜けてしまうという問題も解消される。
【００２０】
また、係合片５が、押圧体としてのビス７に押圧されて、拡開変形（すなわち、側壁４ａの外側方向に変形）することで、この係合片５は、凹部２の側面２ｄに確実に係合して止められ、配線ボックス３を凹部２内に強固に固定することができる。さらに、係合片５は、ビス螺入部６に螺入されたビス７に直接押圧されて拡開変形することで、凹部２の側面２ｄに係合するというように、この係合構造が、単純化され、しかも確実に係合するので、配線ボックス３を簡単な構造で固定することができるとともに、確実に固定することができる。その上、係合片５は、凹部２の重合形状が内接する方形形状Ｓの四隅と対応する位置に、それぞれ設けられており、これら係合片５、５によって、配線ボックス３を、凹部２内にバランスよく固定することができる。
【００２１】
また、ビス螺入部６は、そのビス螺入部６に螺入されたビス７の軸部７ａが、係合片５側に露出することとなり、この軸部７ａの露出部分が、係合片５を押圧することとなる。また、ビス螺入部６は、断面が半円を越える円弧形状となる溝となっており、この溝によって、ビス７は、その露出側に抜け出ることなく、溝内に保持される。さらに、ビス螺入部６は、係合片５と相対向する内側位置に位置し、前述のように、ビス７の軸部７ａが係合片５側に露出する円弧形状となる溝となっているので、ビス７の軸部７ａがボックス本体４の内方側に露出することがなく、この配線ボックス３に収容される配線器具が、ビス７の軸部７ａと干渉するのを防ぐことができる。
【００２２】
また、ビス螺入部６が、ボックス本体４の前面４ｆから後方に下がって設けられて、そのビス螺入部６に螺入されたビス７の頭部７ｂが、ボックス本体４の前面４ｆよりも壁１の前方側に突出しないので、この配線ボックス３にカバーをする場合等に、ビス７が邪魔になることがない。
【００２３】
また、この配線ボックス３を凹部２内に固定する際には、この配線ボックス３は、係合片５がその弾性によって凹部２の側面２ｄに係合して仮止めされることで、凹部２内に保持されているので（図２、図４参照）、ビス螺入部６にビス７を螺入して、係合片５を拡開変形させて凹部２の側面２ｄに本止めする作業を、容易に行うことができる（図５、図６参照）。
【００２４】
なお、本発明は、上述した実施の形態に限定されるわけではなく、その他種々の変更が可能である。例えば、壁１に明けられる凹部２は、正面視が二つの円２ａ、２ａが一部重合する重合形状とならなくとも、三つ以上の円２ａ、２ａが、縦もしくは横等、または、縦および横等に並ぶようにして、一部重合する重合形状となっていてもよい（図７参照）。さらには、凹部２は、正面視が二以上の円２ａ、２ａが一部重合する重合形状からならなくとも、矩形等、その他の形状からなっていてもよい。
【００２５】
また、係合片５は、前記重合形状が内接する方形形状Ｓの四隅と対応する位置に、それぞれ設けられていなくとも、ボックス本体４の側壁４ａ部分であればいずれの位置に設けられてもよい。
【００２６】
また、配線ボックス３を凹部２に挿入した際、凹部２の側面２ｄに係合して仮止めされる係合片５によって、配線ボックス３が凹部２内に保持されなくとも、配線ボックス３を凹部２に挿入した際には、係合片５が凹部２の側面２ｄに係合することなく、押圧体の押圧によって、すなわち、ビス螺入部６へのビス７の螺入によって、初めて、係合片５が凹部２の側面２ｄに係合して止められてもよい。
【００２７】
【発明の効果】
以上、詳述したところから明らかなように、この発明に係る配線ボックスによれば、次の効果がある。
【００２８】
請求項１に記載された配線ボックスによれば、建物の壁に明けられた凹部の内側面に係合して止められる係合片によって、配線ボックスが凹部内に固定されるので、この配線ボックスを、凹部内に、その凹部の底面形状に拘ることなく固定することができる。しかも、係合片は、ビス螺入部に螺入されたビスに直接押圧されて拡開変形することで、凹部の内側面に係合するというように、この係合構造が、単純化され、しかも確実に係合するので、配線ボックスを簡単な構造で固定することができるとともに、確実に固定することができる。その上、配線ボックスを凹部内に固定する際には、この配線ボックスは、係合片が仮止めされることで、凹部内に保持されているので、ビス螺入部にビスを螺入して、係合片を拡開変形させて凹部の内側面に本止めする作業を、容易に行うことができる。
【００２９】
また、請求項２に記載された配線ボックスによれば、加えて、ビスの軸部がボックス本体の内方側に露出することがないので、この配線ボックスに収容される配線器具が、ビスの軸部と干渉するのを防ぐことができる。
【００３０】
また、請求項３に記載された配線ボックスによれば、加えて、ビス螺入部に螺入されたビスの頭部が、ボックス本体の前面よりも壁の前方側に突出しないので、この配線ボックスにカバーをする場合等に、ビスが邪魔することがない。
【００３１】
また、請求項４に記載された配線ボックスによれば、加えて、配線ボックスが配設される凹部は、正面視が二以上の円が一部重合する重合形状となっており、この凹部を建物の壁に簡単に明けることができる。しかも、配線ボックスは、ボックス本体が、凹部と嵌合し、その嵌合形状によって、凹部内で回り止めされるので、この配線ボックスは、凹部内で回動することがない。また、こうして、配線ボックスは、ボックス本体の形状によって凹部内で回り止めされるので、この配線ボックスを凹部内に固定するための係合片には、回り止めを考慮する必要がなく、この係合片を簡易にすることができる。
また、請求項５に記載された配線ボックスによれば、加えて、係合片は、重合形状が内接する方形形状の四隅と対応する位置に、それぞれ設けられており、これら係合片によって、配線ボックスを、凹部内にバランスよく固定することができる。
【図面の簡単な説明】
【図１】この発明に係る配線ボックスの一実施の形態の分解斜視図である。
【図２】同じく、配線ボックスを凹部に挿入した状態を示す正面図である。
【図３】同じく、図２におけるＡ−Ａ線による拡大断面図である。
【図４】同じく、図２におけるＢ−Ｂ線による拡大断面図である。
【図５】同じく、ビス螺入部にビスを螺入した状態を示す正面図である。
【図６】同じく、図５におけるＣ−Ｃ線による拡大断面図である。
【図７】この発明に係る配線ボックスの他の実施の形態の、凹部を示す正面図である。
【符号の説明】
１  壁                          ２  凹部
２ａ  円
２ｄ  側面（内側面）            ３  配線ボックス
４  ボックス本体                ４ａ  側壁
４ｆ  前面                      ５  係合片
６  ビス螺入部                  ７  ビス
７ａ  軸部                      ７ｂ  頭部
Ｓ  方形形状
【図１】
0003600176.tif 000002
【図２】
0003600176.tif 000003
【図３】
0003600176.tif 000004
【図４】
0003600176.tif 000005
【図５】
0003600176.tif 000006
【図６】
0003600176.tif 000007
【図７】
0003600176.tif 000008